(57)【要約】【課題】開示のフロー制御変換装置は、ＬＡＮネットワークとＡＴＭネットワークにまたがるフロー制御を行うことを目的とする。【解決手段】ＡＴＭネットワークとＬＡＮネットワークと間に設けられるフロー制御変換装置であって、前記ＡＴＭネットワークから受信したリソース管理セルから送出レート値を抽出する希望送出レート抽出手段と、前記送出レート値から単位時間あたりのポーズフレーム発生回数又はポーズフレーム発生間隔とポーズ時間を計算するポーズ計算手段と、前記単位時間あたりのポーズフレーム発生回数又はポーズフレーム発生間隔とポーズ時間に従ってポーズフレームを発生し前記ＬＡＮネットワークに送出するポーズ発生手段とを有する。【選択図】  図８
2010057103.tif 000002
【特許請求の範囲】
【請求項１】
ＡＴＭネットワークとＬＡＮネットワークと間に設けられるフロー制御変換装置であって、
前記ＡＴＭネットワークから受信したリソース管理セルから送出レート値を抽出する希望送出レート抽出手段と、
前記送出レート値から単位時間あたりのポーズフレーム発生回数又はポーズフレーム発生間隔とポーズ時間を計算するポーズ計算手段と、
前記単位時間あたりのポーズフレーム発生回数又はポーズフレーム発生間隔とポーズ時間に従ってポーズフレームを発生し前記ＬＡＮネットワークに送出するポーズ発生手段と、
を有することを特徴とするフロー制御変換装置。
【請求項２】
ＡＴＭネットワークとＬＡＮネットワークと間に設けられるフロー制御変換装置であって、
前記ＬＡＮネットワークから受信したポーズフレームの単位時間あたりのポーズフレーム発生回数又はポーズフレーム受信間隔とポーズ時間を抽出するポーズ抽出手段と、
前記単位時間あたりのポーズフレーム発生回数又はポーズフレーム受信間隔とポーズ時間から送出レート値を計算する送出レート計算部と、
前記送出レート値を載せたリソース管理セルを生成して前記ＡＴＭネットワークに送出するリソース管理セル生成手段と、
を有することを特徴とするフロー制御変換装置。
【請求項３】
ＡＴＭネットワークとＬＡＮネットワークと間のフロー制御変換方法であって、
前記ＡＴＭネットワークから受信したリソース管理セルから送出レート値を抽出し、
前記送出レート値から単位時間あたりのポーズフレーム発生回数又はポーズフレーム発生間隔とポーズ時間を計算し、
前記単位時間あたりのポーズフレーム発生回数又はポーズフレーム発生間隔とポーズ時間に従ってポーズフレームを発生し前記ＬＡＮネットワークに送出する
ことを特徴とするフロー制御変換方法。
【請求項４】
ＡＴＭネットワークとＬＡＮネットワークと間のフロー制御変換方法であって、
前記ＬＡＮネットワークから受信したポーズフレームの単位時間あたりのポーズフレーム発生回数又はポーズフレーム受信間隔とポーズ時間を抽出し、
前記単位時間あたりのポーズフレーム発生回数又はポーズフレーム受信間隔とポーズ時間から送出レート値を計算し、
前記送出レート値を載せたリソース管理セルを生成して前記ＡＴＭネットワークに送出する
ことを特徴とするフロー制御変換方法。
【請求項５】
請求項１記載のフロー制御変換装置において、
前記ＬＡＮネットワークから受信したポーズフレームの単位時間あたりのポーズフレーム発生回数又はポーズフレーム受信間隔とポーズ時間を抽出するポーズ抽出手段と、
前記単位時間あたりのポーズフレーム発生回数又はポーズフレーム受信間隔とポーズ時間から送出レート値を計算する送出レート計算部と、
前記送出レート値を載せたリソース管理セルを生成して前記ＡＴＭネットワークに送出するリソース管理セル生成手段と、
を有することを特徴とするフロー制御変換装置。
【請求項６】
請求項３記載のフロー制御変換方法において、
前記ＬＡＮネットワークから受信したポーズフレームの単位時間あたりのポーズフレーム発生回数又はポーズフレーム受信間隔とポーズ時間を抽出し、
前記単位時間あたりのポーズフレーム発生回数又はポーズフレーム受信間隔とポーズ時間から送出レート値を計算し、
前記送出レート値を載せたリソース管理セルを生成して前記ＡＴＭネットワークに送出する
ことを特徴とするフロー制御変換方法。
【発明の詳細な説明】
【技術分野】
【０００１】
本発明は、ＡＴＭネットワークとＬＡＮネットワークと間に設けられるフロー制御変換装置及びフロー制御変換方法に関する。
【背景技術】
【０００２】
ＩＥＥＥ８０２．３ｘで規定されるネットワークの１つであるＥｔｈｅｒｎｅｔ（登録商標）等のＬＡＮネットワークと、ＡＴＭ（Ａｓｙｎｃｈｒｏｎｕｓ  Ｔｒａｎｓｆｅｒ  Ｍｏｄｅ）ネットワーク間を中継する装置において輻輳を制御する方法として、例えば特許文献１に記載のものが知られている。
【０００３】
なお、本明細書では、ＷＡＮ（Ｗｉｄｅ  Ａｒｅａ  Ｎｅｔｗｏｒｋ），ＭＡＮ（Ｍｅｔｒｏｐｏｌｉｔａｎ  Ａｒｅａ  Ｎｅｔｗｏｒｋ）もＬＡＮ（Ｌｏｃａｌ  Ａｒｅａ  Ｎｅｔｗｏｒｋ）に含むものとする。
【０００４】
図１は従来の中継装置の一例の構成図を示す。同図中、中継装置１はＬＡＮネットワークから入力されるＬＡＮフレームをキューイングする入力キュー２と、ＡＴＭネットワークから入力されるＡＴＭセルをキューイングする入力キュー３と、スイッチ部４と、出力データをキューイングする出力キュー５を有している。
【０００５】
出力キュー５の溢れが入力キュー２又は３の溢れ（滞留量閾値越え）を発生させ、ＡＴＭセルの出力元がＬＡＮネットワークの場合はポーズフレームをＬＡＮネットワークに供給してＬＡＮフレームの停止時間を指示し、出力側のフロー制御を行っている。
【０００６】
また、出力元がＡＴＭネットワークの場合はＲＭ（Ｒｅｓｏｕｒｃｅ  Ｍａｎａｇｅｍｅｎｔ：リソース管理）セルの中でバックワードＲＭと呼ばれるセル内のＥＲ（Ｅｘｐｌｉｃｉｔ  Ｒａｔｅ：明示的送出レート）値を設定してＡＴＭネットワークに供給し、ＲＭセルで出力側のフロー制御を行っている。
【０００７】
図２はポーズフレームの動作概要を示し、図３はポーズフレームのフォーマットを示す。
【０００８】
図２において、受信側のＬＡＮ装置１２で、空きバッファがなくなり滞留中のＬＡＮフレームの送信処理に例えば１ｍｓｅｃの時間がかかると計算した場合、ＬＡＮ装置１２は１ｍｓｅｃ停止指示のパラメタを設定したポーズフレームを生成して送信側のＬＡＮ装置１１に送信し、送信側のＬＡＮ装置１１で１ｍｓｅｃ間、送信を停止することで受信側のＬＡＮ装置１２で空きバッファがないことによるフレーム廃棄を低減することを目的としている。
【０００９】
図３において、ポーズフレームは、プリアンブル、フレーム開始デリミタ（ＳＦＤ）、宛先アドレス、送信元アドレス、タイプ＝０ｘ８８０８（ＭＡＣ制御フレーム）、なお、０ｘは１６進表示を示す。ＭＡＣ制御命令＝０ｘ０００１（ポーズフレーム）、ＭＡＣ制御パラメタ（ｐａｕｓｅ  ｔｉｍｅ：ポーズ時間）、予約済み（＝０）、フレームチェックシーケンス（ＦＣＳ）を有している。
【００１０】
ここで、ＭＡＣ制御パラメタのポーズ時間は、５１２ビット分の時間を１単位として、上位２バイト（１６ビット）で表示される。ＬＡＮネットワークが例えば１００ｂａｓｅ−Ｔであれば１ビットが約１０ｎｓｅｃなので、１０ｎｓｅｃ×５１２ビット＝５．１２μｓｅｃ単位でポーズ時間が指示され（１０００ｂａｓｅであれば５１２ｎｓｅｃ単位、１０ｂａｓｅであれば５１．２μｓｅｃ単位）、１６ビット（＝６５，５３６）で、０〜３３６ｍｓｅｃを表現する。
【００１１】
図４はＲＭセルの動作概要を示し、図５はＲＭセルのフォーマットを示す。ＲＭセル制御はＡＢＲ（Ａｖａｉｌａｂｌｅ  Ｂｉｔ  ｒａｔｅ）と呼ばれるＡＴＭ転送制御に関するものの１つであり、フィードバックを基本としたフロー制御を行うものである。
【００１２】
図４において、送信側のＡＴＭ装置１５でフォワード（順方向）ＲＭセルが生成され、受信側のＡＴＭ装置１６に供給されえる。受信側のＡＴＭ装置１６でフォワードＲＭセル到着毎に折返しとしてバックワード（逆方向）ＲＭセルを生成する。
【００１３】
このとき受信側のＡＴＭ装置１６のバッファ状況から計算される所望の受信レートを記入し、送信側のＡＴＭ装置１５にバックワードＲＭセルのＥＲ領域を使って通知する。送信側のＡＴＭ装置１５は、このＥＲ値に基づいて送信レートを変更する。
【００１４】
図５において、ＲＭセルは、ＡＴＭヘッダ、プロトコルＩＤ＝０ｘ１、メッセージタイプ、ＥＲ（Ｅｘｐｌｉｃｉｔ  ｒａｔｅ）、ＣＣＲ（Ｃｕｒｒｅｎｔ  ｃｅｌｌ  ｒａｔｅ：フォワードＲＭセルのコピー）、ＭＣＲ（Ｍｉｎｉｍｕｍ  ｃｅｌｌ  ｒａｔｅ：フォワードＲＭセルのコピー）、ＱＬ（Ｑｕｅｕｅ  Ｌｅｎｇｔｈ［Ｎｏ  ｕｓｅｄ］）、ＳＮ（Ｓｅｑｕｅｎｃｅ  Ｎｕｍｂｅｒ［Ｎｏ  ｕｓｅｄ］）を有している。
【００１５】
ところで、ＥＲ値計算によりＲＭセルを生成してカプセル化して通知し、デカプセル化したＲＭセルのＥＲ値によりフロー変換を行ってＡＴＭとＬＡＮ間のフロー制御をすることが提案されている（例えば特許文献２参照）。
【特許文献１】特開２０００−２６９９９７号公報
【特許文献２】特開平１０−３１３３１６号公報
【発明の開示】
【発明が解決しようとする課題】
【００１６】
図１に示す中継装置では、例えば図６に示すように、受信ＡＴＭネットワーク６で発生した輻輳のフロー制御結果であるＲＭセルのＥＲ値（希望送出レート値）相当を、中継装置１から発信元のＬＡＮネットワーク７に対し通知することができないという問題があった。
【００１７】
また、図７に示すように、受信ＬＡＮネットワーク８で発生した輻輳のフロー制御結果であるポーズフレームの停止時間相当を、中継装置１から発信元ＡＴＭネットワーク９に対し通知することができないという問題があった。
【００１８】
つまり、輻輳発生場所での輻輳具合により計算された希望受信レート値や停止時間を直接発信元に通知できないため、希望受信レート又は停止時間相当でのフロー制御が行えないという問題があった。
【００１９】
開示のフロー制御変換装置は、ＬＡＮネットワークとＡＴＭネットワークにまたがるフロー制御を行うことを目的とする。
【課題を解決するための手段】
【００２０】
開示の一実施態様によるフロー制御変換装置は、ＡＴＭネットワークとＬＡＮネットワークと間に設けられるフロー制御変換装置であって、
前記ＡＴＭネットワークから受信したリソース管理セルから送出レート値を抽出する希望送出レート抽出手段と、
前記送出レート値から単位時間あたりのポーズフレーム発生回数又はポーズフレーム発生間隔とポーズ時間を計算するポーズ計算手段と、
前記単位時間あたりのポーズフレーム発生回数又はポーズフレーム発生間隔とポーズ時間に従ってポーズフレームを発生し前記ＬＡＮネットワークに送出するポーズ発生手段とを有する。
【００２１】
また、開示の一実施態様によるフロー制御変換装置は、ＡＴＭネットワークとＬＡＮネットワークと間に設けられるフロー制御変換装置であって、
前記ＬＡＮネットワークから受信したポーズフレームの単位時間あたりのポーズフレーム発生回数又はポーズフレーム受信間隔とポーズ時間を抽出するポーズ抽出手段と、
前記単位時間あたりのポーズフレーム発生回数又はポーズフレーム受信間隔とポーズ時間から送出レート値を計算する送出レート計算部と、
前記送出レート値を載せたリソース管理セルを生成して前記ＡＴＭネットワークに送出するリソース管理セル生成手段とを有する。
【００２２】
開示の一実施態様によるフロー制御変換方法は、ＡＴＭネットワークとＬＡＮネットワークと間のフロー制御変換方法であって、
前記ＡＴＭネットワークから受信したリソース管理セルから送出レート値を抽出し、
前記送出レート値から単位時間あたりのポーズフレーム発生回数又はポーズフレーム発生間隔とポーズ時間を計算し、
前記単位時間あたりのポーズフレーム発生回数又はポーズフレーム発生間隔とポーズ時間に従ってポーズフレームを発生し前記ＬＡＮネットワークに送出する。
【００２３】
また、開示の一実施態様によるフロー制御変換方法は、ＡＴＭネットワークとＬＡＮネットワークと間のフロー制御変換方法であって、
前記ＬＡＮネットワークから受信したポーズフレームの単位時間あたりのポーズフレーム発生回数又はポーズフレーム受信間隔とポーズ時間を抽出し、
前記単位時間あたりのポーズフレーム発生回数又はポーズフレーム受信間隔とポーズ時間から送出レート値を計算し、
前記送出レート値を載せたリソース管理セルを生成して前記ＡＴＭネットワークに送出する。
【発明の効果】
【００２４】
開示のフロー制御変換装置によれば、ＬＡＮネットワークとＡＴＭネットワークにまたがるフロー制御を行うことができる。
【発明を実施するための最良の形態】
【００２５】
以下、図面に基づいて実施形態について説明する。
【００２６】
＜第１実施形態＞
図８は、フロー制御変換装置の第１実施形態の構成図を示す。同図中、フロー制御変換装置２０は、ＡＴＭネットワーク３０とＬＡＮネットワーク４０の間に設けられる。なお、フロー制御変換装置２０はＡＴＭネットワーク３０内又はＬＡＮネットワーク４０内に設けても良い。
【００２７】
この実施形態は、フロー制御変換装置２０において、輻輳が発生しているＡＴＭネットワーク３０から供給されるバックワードＲＭセルのＥＲ値を抽出し、ＥＲ値からポーズフレームへの変換を行い、ＥＲ値から変換されたポーズフレームを送信元であるＬＡＮネットワーク４０に供給して、ＬＡＮネットワーク４０の送信レートを制御する。
【００２８】
ＡＴＭネットワーク３０で輻輳が発生すると、その輻輳具合から計算されるＥＲ値を載せたバックワードＲＭセルがフロー制御変換装置２０へ送信される。
【００２９】
フロー制御変換装置２０内のＥＲ値抽出部２１は、バックワードＲＭセルからＥＲ値を抽出する。ポーズ計算部２２は、抽出された該ＥＲ値から単位時間あたりのポーズフレーム発生回数（又はポーズフレーム発生間隔）とポーズ時間を計算する。なお、ポーズ計算部２２は計算プログラムを用いても良いし、ＥＲ値に対応する単位時間あたりのポーズフレーム発生回数（又はポーズフレーム発生間隔）とポーズ時間を予め登録したテーブルを用いてもよい。
【００３０】
ポーズ発生部２３は、上記２つのパラメタであるポーズフレーム発生回数（又はポーズフレーム発生間隔）及びポーズ時間に従ってポーズフレームを発生し、発生したポーズフレームをＬＡＮネットワーク４０に送出する。
【００３１】
これにより、ＬＡＮネットワーク４０からＡＴＭネットワーク３０に向けて送信されるユーザフレームの送信レートが小さくなり、ＡＴＭネットワーク３０における輻輳が解消される。
【００３２】
＜ポーズ計算部の計算例＞
次に、ポーズ計算部２２の計算例について図９と共に説明する。なお、以下に示す括弧付数字は図９内の括弧付数字と対応している。
【００３３】
ここでは、１秒に１回受信したバックワードＲＭセルから抽出したＥＲ値＝１Ｍｂｐｓ（５３バイト換算）であった場合を示す。
【００３４】
ＡＴＭセルはヘッダ５バイト＋ペイロード４８バイト（＝５３×８＝４２４ビット）の固定長であるので、これを基準にＬＡＮフレーム長も計算する。
【００３５】
ＬＡＮフレーム長＝［４８バイト（ペイロード）＋２２バイト（プリアンブル／ＳＦＤ／ＳＡ／ＤＡ／タイプ）＋４バイト（ＦＣＳ）］×８
＝５９２ビット
なお、１００ｂａｓｅ−Ｔを使用し、１ビット概算値を１０ｎｓｅｃとすると、１フレーム長は５９２ビット×１０ｎｓｅｃ＝５．９２μｓとなる（１）。
【００３６】
ＥＲ値＝１ＭｂｐｓをＡＴＭに換算すると、１×１０６／４２４ビット＝２３５９ＡＴＭセルが必要となる。１ＡＴＭセルを１ＬＡＮフレームで送信するので２３５９フレームのユーザフレーム（ＬＡＮネットワーク４０からＡＴＭネットワーク３０へ送信するフレーム）の送信が必要となる（２）。
【００３７】
ユーザフレームがバースト的に送信されないように、ポーズフレーム（６４バイト＝５．１２μｓｅｃ）（３）の送信間隔を図９に示すように均等にする。
【００３８】
即ち、ユーザフレーム送信時間＋ポーズ時間の組が１秒に２３４９回に現れるようにすると、ポーズ時間（４）は、以下のようになる。
【００３９】
１ｓｅｃ／２３５９−５．９２μｓｅｃ＝４１８μｓｅｃ
また、図３で説明したように、１００ｂａｓｅ−Ｔにおけるポーズ時間は５．１２μｓｅｃを単位としているので、（４）の近似値４１９．８４μｓ（＝５．１２μｓｅｃ×８２）
をポーズ時間とする（５）。これにより、ポーズフレーム発生間隔（６）は、以下のようになる。
【００４０】
ポーズフレーム発生間隔＝５．９２＋４１９．８４＝４２５．７６μｓｅｃ
以上のポーズ時間（５）及びポーズフレーム発生間隔（６）をポーズ計算部２２から、ポーズ発生部２３に通知する。
【００４１】
＜第２実施形態＞
図１０は、フロー制御変換装置の第２実施形態の構成図を示す。同図中、フロー制御変換装置２０は、ＡＴＭネットワーク３０とＬＡＮネットワーク４０の間に設けられる。なお、フロー制御変換装置２０はＡＴＭネットワーク３０内又はＬＡＮネットワーク４０内に設けても良い。
【００４２】
この実施形態は、フロー制御変換装置２０において、輻輳が発生しているＬＡＮネットワーク４０から供給されるポーズフレームを受信してポーズフレーム受信間隔及びポーズ時間からＥＲ値への変換を行い、変換されたＥＲ値を持つバックワードＲＭセルを送信元であるＡＴＭネットワーク３０に供給して、ＡＴＭネットワーク３０の送信レートを制御する。
【００４３】
ＬＡＮネットワーク４０で輻輳が発生すると、その輻輳結果から計算されるポーズ時間を載せたポーズフレームがフロー制御変換装置２０へ送信される。
【００４４】
ＡＴＭネットワーク３０内のポーズ抽出部２４は、受信したポーズフレームから単位時間あたりのポーズフレーム発生回数（又はポーズフレーム受信間隔）とポーズ時間を測定して抽出する。ＥＲ値計算部２５は、単位時間あたりのポーズフレーム発生回数（又はポーズフレーム受信間隔）とポーズ時間からＥＲ値を計算してＲＭ生成部に通知する。なお、ＥＲ値計算部２５は計算プログラムを用いても良いし、単位時間あたりのポーズフレーム発生回数（又はポーズフレーム受信間隔）とポーズ時間に対応するＥＲ値を予め登録したテーブルを用いてもよい。
【００４５】
ＲＭセル生成部２６は、ＥＲ値計算部２５から通知されたＥＲ値を載せたバックワードＲＭセルを生成し、生成した該バックワードＲＭセルをＡＴＭネットワーク３０に送出する。
【００４６】
これにより、ＡＴＭネットワーク３０からＬＡＮネットワーク４０に向けて送信されるユーザフレームの送信レートが小さくなり、ＬＡＮネットワーク４０における輻輳が解消される。
【００４７】
＜ＥＲ値計算部の計算例＞
次に、ＥＲ値計算部２５の計算例について図１１と共に説明する。なお、以下に示す括弧付数字は図１１内の括弧付数字と対応している。
【００４８】
ここで、１００ｂａｓｅ−Ｔを使用しており、抽出したポーズ時間＝４１９．８４μｓｅｃ（１）、ポーズフレーム受信間隔＝４２５．７６μｓｅｃ（２）を１秒間に２３５９ポーズフレームを観測した場合（３）を示す。
【００４９】
ＬＡＮネットワーク４０が送信して良い時間（４）は、ポーズ時間以外の時間となる。即ち、４２５．７６μｓｅｃ−４１９．８４＝５．９２μｓｅｃである。
【００５０】
１００ｂａｓｅ−Ｔのとき、１ビット＝１０ｎｓｅｃと換算すると、５．９２／０．０１＝５９２ビットとなる。これは、
（４８バイト（ペイロード）＋２２バイト（プリアンブル／ＳＦＤ／ＳＡ／ＤＡ／タイプ）＋４バイト（ＦＣＳ））×８＝５９２ビット
に相当する。１ＬＡＮフレーム＝１ＡＴＭセルをとしているので，４８バイトのペイロードを含む５３バイトのＡＴＭセルが２３５９回透過（伝送）できるビット量に一致する。
【００５１】
即ち、５３バイト×２３５９回／ｓｅｃ＝約１Ｍｂｐｓとなり、これをＥＲ値としてバックワードＲＭセルでＡＴＭネットワーク３０に送出する。
【００５２】
＜第３実施形態＞
図１２は、フロー制御変換装置の第３実施形態の構成図を示す。同図中、フロー制御変換装置２０は、ＡＴＭネットワーク３０とＬＡＮネットワーク４０の間に設けられる。なお、フロー制御変換装置２０はＡＴＭネットワーク３０内又はＬＡＮネットワーク４０内に設けても良い。
【００５３】
この実施形態は、フロー制御変換装置２０において、輻輳が発生しているＡＴＭネットワーク３０から供給されるバックワードＲＭセルのＥＲ値を抽出し、ＥＲ値からポーズフレームへの変換を行い、ＥＲ値から変換されたポーズフレームを送信元であるＬＡＮネットワーク４０に供給して、ＬＡＮネットワーク４０の送信レートを制御する。これと共に、フロー制御変換装置２０において、輻輳が発生しているＬＡＮネットワーク４０から供給されるポーズフレームを受信してポーズフレーム受信間隔及びポーズ時間からＥＲ値への変換を行い、変換されたＥＲ値を持つバックワードＲＭセルを送信元であるＡＴＭネットワーク３０に供給して、ＡＴＭネットワーク３０の送信レートを制御する。
【００５４】
ＡＴＭネットワーク３０で輻輳が発生すると、その輻輳具合から計算されるＥＲ値を載せたバックワードＲＭセルがフロー制御変換装置２０へ送信される。
【００５５】
フロー制御変換装置２０内のＥＲ値抽出部２１は、バックワードＲＭセルからＥＲ値を抽出する。ポーズ計算部２２は、抽出された該ＥＲ値から単位時間あたりのポーズフレーム発生回数（又はポーズフレーム発生間隔）とポーズ時間を計算する。
【００５６】
ポーズ発生部２３は、上記２つのパラメタであるポーズフレーム発生回数（又はポーズフレーム発生間隔）及びポーズ時間に従ってポーズフレームを発生し、発生したポーズフレームをＬＡＮネットワーク４０に送出する。
【００５７】
これにより、ＬＡＮネットワーク４０からＡＴＭネットワーク３０に向けて送信されるユーザフレームの送信レートが小さくなり、ＡＴＭネットワーク３０における輻輳が解消される。
【００５８】
また、ＬＡＮネットワーク４０で輻輳が発生すると、その輻輳結果から計算されるポーズ時間を載せたポーズフレームがフロー制御変換装置２０へ送信される。
【００５９】
ＡＴＭネットワーク３０内のポーズ抽出部２４は、受信したポーズフレームから単位時間あたりのポーズフレーム発生回数（又はポーズフレーム受信間隔）とポーズ時間を測定して抽出する。ＥＲ値計算部２５は、単位時間あたりのポーズフレーム発生回数（又はポーズフレーム受信間隔）とポーズ時間からＥＲ値を計算してＲＭ生成部に通知する。
【００６０】
ＲＭセル生成部２６は、ＥＲ値計算部２５から通知されたＥＲ値を載せたバックワードＲＭセルを生成し、生成した該バックワードＲＭセルをＡＴＭネットワーク３０に送出する。
【００６１】
これにより、ＡＴＭネットワーク３０からＬＡＮネットワーク４０に向けて送信されるユーザフレームの送信レートが小さくなり、ＬＡＮネットワーク４０における輻輳が解消される。
【図面の簡単な説明】
【００６２】
【図１】従来の中継装置の一例の構成図である。
【図２】ポーズフレームの動作概要を示す図である。
【図３】ポーズフレームのフォーマットを示す図である。
【図４】ＲＭセルの動作概要を示す図である。
【図５】ＲＭセルのフォーマットを示す図である。
【図６】従来の中継装置の課題を説明するための図である。
【図７】従来の中継装置の課題を説明するための図である。
【図８】フロー制御変換装置の第１実施形態の構成図である。
【図９】ポーズ計算部の計算例について説明するための図である。
【図１０】フロー制御変換装置の第２実施形態の構成図である。
【図１１】ＥＲ値計算部の計算例について説明するための図である。
【図１２】フロー制御変換装置の第３実施形態の構成図である。
【符号の説明】
【００６３】
２０  フロー制御変換装置
２１  ＥＲ値抽出部
２２  ポーズ計算部
２３  ポーズ発生部
２４  ポーズ抽出部
２５  ＥＲ値計算部
２６  ＲＭセル生成部
３０  ＡＴＭネットワーク
４０  ＬＡＮネットワーク
【図１】
2010057103.tif 000003
【図２】
2010057103.tif 000004
【図３】
2010057103.tif 000005
【図４】
2010057103.tif 000006
【図５】
2010057103.tif 000007
【図６】
2010057103.tif 000008
【図７】
2010057103.tif 000009
【図８】
2010057103.tif 000010
【図９】
2010057103.tif 000011
【図１０】
2010057103.tif 000012
【図１１】
2010057103.tif 000013
【図１２】
2010057103.tif 000014